(57)【特許請求の範囲】
【請求項１】
相互に嵌合可能な２つのコネクタを備え、
一方のコネクタには、両コネクタが嵌合した状態において他方のコネクタを収容するためのフード部が設けられているとともに、
前記フード部の前面における前記他方のコネクタを収容するための収容口には、その収容口を塞ぐ扉が開閉可能に設けられるとともに、前記扉を前記他方のコネクタの嵌め込み動作に伴って開放位置へ変位させる扉開放機構が設けられ、
前記他方のコネクタは、コネクタハウジングの後面に引き出された電線が電線保持部によって上方へ曲げられた状態で保持された形態とされており、
前記他方のコネクタが前記フード部内に嵌合した状態では、前記電線保持部が前記収容口の上縁部に位置するとともに、前記収容口の上縁部に設けた引出溝から前記電線が前記フード部の外へ引き出され、前記電線保持部とこの電線保持部に当接する前記扉とにより、前記収容口の開口領域のうち前記電線の引出し部分を除いた領域を塞ぐ構成とされていることを特徴とするコネクタ。
【請求項２】
請求項１記載のコネクタにおいて、前記扉は付勢部材によって前記収容口を塞ぐ方向に付勢されており、かつ、前記扉開放機構は、前記一方と他方の両コネクタのうちの片側に嵌合方向に沿って傾斜させて設けた係合受け部と、反対側のコネクタに設けられ前記係合受け部の傾斜面上を移動してゆく過程で前記扉を前記付勢部材の付勢力に抗して開く方向へ移動させる係合部とからなることを特徴とするコネクタ。
【請求項３】
請求項１又は請求項２記載のコネクタにおいて、前記他方のコネクタを前記フード部内に収容し、両コネクタを嵌合状態に保持するロック機構が設けられるとともに、その嵌合状態では前記ロック機構が前記扉によって覆い隠されることを特徴とするコネクタ。
【発明の詳細な説明】
【０００１】
【発明の属する技術分野】
本発明は、他方のコネクタを収容する収容口に蓋が設けられているコネクタに関する。
【０００２】
【従来の技術】
一般的に、雄側コネクタは、雌側コネクタを収容するためのフード部を備えており、内部に複数の雄型端子金具が先端部をフード部内に突出させた状態で組み付けられている。一方、雌側コネクタは、フード部内に嵌め込まれる大きさに形成されており、その内部には上記雄型端子金具に対応して複数の雌型端子金具が組み付けられている。そして、雌側コネクタを雄側コネクタのフード部内へ嵌め込むと、雌型端子金具と雄型端子金具とが接触し合って導通状態となる。
【０００３】
【発明が解決しようとする課題】
ところが、上記構成ではフード部における雌側コネクタを収容するための収容口は常に開口されているため、結合前の段階でフード部内に塵が入り込んだり、異物の侵入によって雄型端子金具が変形してしまう虞があった。
本発明は、上記事情に鑑みてなされたもので、その目的は、他方のコネクタを収容するフード部を備えたものにおいて、そのフード部内への塵等の侵入を防止できるコネクタを提供するところにある。
【０００４】
【課題を解決するための手段】
上記目的を達成するために、請求項１のコネクタは、相互に嵌合可能な２つのコネクタを備え、一方のコネクタには、両コネクタが嵌合した状態において他方のコネクタを収容するためのフード部が設けられているとともに、前記フード部の前面における前記他方のコネクタを収容するための収容口には、その収容口を塞ぐ扉が開閉可能に設けられるとともに、前記扉を前記他方のコネクタの嵌め込み動作に伴って開放位置へ変位させる扉開放機構が設けられ、前記他方のコネクタは、コネクタハウジングの後面に引き出された電線が電線保持部によって上方へ曲げられた状態で保持された形態とされており、前記他方のコネクタが前記フード部内に嵌合した状態では、前記電線保持部が前記収容口の上縁部に位置するとともに、前記収容口の上縁部に設けた引出溝から前記電線が前記フード部の外へ引き出され、前記電線保持部とこの電線保持部に当接する前記扉とにより、前記収容口の開口領域のうち前記電線の引出し部分を除いた領域を塞ぐ構成とされていることに特徴を有する。
【０００５】
請求項２のコネクタは、請求項１記載のコネクタにおいて、前記扉は付勢部材によって前記収容口を塞ぐ方向に付勢されており、かつ、前記扉開放機構は、前記一方と他方の両コネクタのうちの片側に嵌合方向に沿って傾斜させて設けた係合受け部と、反対側のコネクタに設けられ前記係合受け部の傾斜面上を移動してゆく過程で前記扉を前記付勢部材の付勢力に抗して開く方向へ移動させる係合部とからなることに特徴を有する。
【０００６】
請求項３のコネクタは、請求項１又は請求項２記載のコネクタにおいて、他方のコネクタをフード部内に収容し、両コネクタを嵌合状態に保持するロック機構が設けられるとともに、その嵌合状態ではロック機構が扉によって覆い隠されることに特徴を有する。
【０００７】
【発明の作用・効果】
請求項１の発明によれば、他方のコネクタが収容されるフード部の収容口は扉によって塞がれている。そして、他方のコネクタの収容口への嵌め込みを行うと、その嵌め込み動作に伴って扉は開かれ、他方のコネクタはフード部内へ収容される。従って、本発明では、他方のコネクタを嵌め込む前の状態では収容口は常に塞がれているため、フード部内への塵や異物等の侵入を防止することができ、しかも扉は他方のコネクタの嵌め込み動作に伴って開かれるから、扉に対する開き操作を行う必要がない。
【０００８】
請求項２の発明によれば、扉は付勢部材によって収容口を閉じる方向に付勢されているが、他方のコネクタの嵌め込みを行うと、係合部が係合受部の傾斜面上を移動してゆき、その過程で扉は付勢部材の付勢力に抗しつつ開かれる。つまり、他方のコネクタは、付勢部材の付勢力に抗しつつ嵌め込まれて行き、嵌合途中で嵌め込み動作をやめると、他方のコネクタは付勢部材からの付勢力を受けて元の位置へと戻されることになる。従って、他方のコネクタが半嵌合状態となることを防止できる。
【０００９】
請求項３の発明によれば、他方のコネクタをフード部内へ収容すると、他方のコネクタはロック機構によってその状態に保持される。また、その状態ではロック機構はフード部によって覆い隠される。つまり、嵌合状態では扉を開けない限り、ロック機構に対する解除操作を行うことができない。従って、嵌合状態に対するロックがより確実なものとなる。
【００１０】
【発明の実施の形態】
＜実施形態１＞
以下、本発明のコネクタを具体化した実施形態１について図１〜図１０を参照して説明する。
本実施形態のコネクタは、相互に嵌合可能な雄側コネクタＭと雌側コネクタＦとから構成される。
＜雌側コネクタ＞
雌側コネクタＦは、図１中、左側に示されるように直方体形状のコネクタハウジング１０とそこに組み付けられる雌型端子金具２０とを備えて構成される。コネクタハウジング１０内には、横方向（図１中、紙面に直交する方向）に３個のキャビティ１１が並設されており、そこには後面（図１中、左側面）に形成された端子組付口１１Ａを介して雌型端子金具２０が組み付けられている。各キャビティ１１の前面（図１中、右側面）には、図７に示すように端子挿入口１１Ｂが形成されており、雌雄両コネクタＦ，Ｍを嵌合させると後述する雄型端子金具４０がその端子挿入口１１Ｂを介して雌型端子金具２０に接続される。また、各端子組付口１１Ａの上縁部には、図５に示すように、電線保持部１２が形成されており、雌型端子金具２０に接続された電線Ｃが端子組付口１１Ａを介して引き出された後、上方へほぼ直角に折り曲げた状態で保持されるようになっている。なお、各キャビティ１１内には抜止突部１３が形成されており、雌型端子金具２０に形成されたランス２３と係合して雌型端子金具２０を抜け止め（一次係止）している。
【００１１】
コネクタハウジング１０の上面には、リテーナ１４が装着されており、各キャビティ１１内に組み付けられた雌型端子金具２０に係合して、各雌型端子金具２０を二次係止している。また、コネクタハウジング１０の下面には、ロックアーム１５が片持ち状に形成され、かつそのロックアーム１５の下面には長さ方向に対するほぼ中央部に係止突部１５Ａが形成されている。さらに、コネクタハウジング１０の下面には、ロックアーム１５の正面視左側方（図７中、左側方）に係合片部１６がその先端部を前方に突出させた状態で設けられている。
【００１２】
雌型端子金具２０は、電線Ｃの端末が接続されるバレル部２１と、雄型端子金具４０に接触する接触部２２とから構成される。バレル部２１は、雌型端子金具２０の後端部に形成され、符号を付さないが電線Ｃの被覆端末をかしめる一対のインシュレーションバレル片と、その被覆端末から剥き出された状態で突出する芯線部分をかしめる一対のワイヤバレル片とからなる。接触部２２は、符号を付さないが対向して配設された一対の弾性接触片と、その弾性接触片を覆う保護筒とからなり、雄型端子金具４０が弾性接触片間に圧入されるようになっている。また、保護筒には上記抜止突部１３と係合して雌型端子金具２０を抜け止めするランス２３が切り起こし形成されている。
【００１３】
＜雄側コネクタ＞
雄側コネクタＭは、図１中、右側に示されるように直方体形状のコネクタハウジング３０と、そこに組み付けられる雄型端子金具４０及び収容口３２を塞ぐ扉５０とを備えて構成される。コネクタハウジング３０の前部は、雌側コネクタＦを収容するフード部３１とされ、その内部は雌側のコネクタハウジング１０を収容するハウジング収容室３１Ａとロックアーム１５を収容するアーム収容室３１Ｂとに区画されている。ハウジング収容室３１Ａは、フード部３１内における上部に形成され、アーム収容室３１Ｂはそのハウジング収容室３１Ａの下方に雌側コネクタＦのロックアーム１５の位置に対応して形成されている。このフード部３１の前面（図中、左側面）は開口しており、雌側コネクタＦをフード部３１内に収容するための収容口３２とされている。また、この収容口３２の上縁部は庇状に前方へ突出しており、図８に示すように、そこにはフード部３１内に収容された雌側コネクタＦにおける電線Ｃをフード部３１内から引き出すための引出溝３３が切り欠き形成されている。
【００１４】
ハウジング収容室３１Ａの後方には、３個のキャビティ３４が横方向（図１中、紙面に直交する方向）に並設されており、そこには後面（図１中、右側面）に形成された端子組付口３４Ａを介して雄型端子金具４０が先端部をハウジング収容室３１Ａ内へ突出させた状態で組み付けられている。各キャビティ３４内には抜止突部３５が形成されており、雄型端子金具４０に形成されたランス４３と係合して雄型端子金具４０を抜け止め（一次係止）している。また、コネクタハウジング３０の上面にはリテーナ３６が装着されており、一次係止された雄型端子金具４０に係合してこれを二次係止している。なお、雄型端子金具４０に接続された電線Ｃは端子組付口３４Ａを介して後方へ引き出されている。
【００１５】
アーム収容室３１Ｂの底面にはその開口端部に係止受部３７が突出して形成されており、雌側コネクタＦがフード部３１内に完全に嵌め込まれると、ロックアーム１５の係止突部１５Ａと係合して雌雄両コネクタＦ，Ｍを嵌合状態に保持する。また、このアーム収容室３１Ｂの奥部には、次述する嵌合検知用のショート端子６０が組み付けられている。
ショート端子６０は、Ｕ字状に折り返して形成され、折り返し部分を奥側へ配した状態で組み付けられている。このショート端子６０の上端部は、左右両側方（図１中、紙面に直交する方向）へ二股に枝分かれしており、かつこの各枝片部６０Ａは山なり状に湾曲している。そして、組み付け状態でこの両枝片部６０Ａはハウジング収容室３１Ａ内へ突出する雄型端子金具４０のうち、正面視右側に位置する２つの雄型端子金具４０の先端部にそれぞれ接触している。これにより、この２つの雄型端子金具４０は、雌側コネクタＦがフード部３１内に嵌合する前には常に導通状態にあり、フード部３１内に雌側コネクタＦが完全に嵌り込むと、雌側コネクタＦのコネクタハウジング１０によって各枝片部６０Ａが押し下げられ、２つの雄型端子金具４０は非導通状態となる。
【００１６】
雄型端子金具４０は、電線Ｃの端末が接続されるバレル部４１と、雌型端子金具２０に接触する接触ピン４２とから構成される。バレル部４１は、雄型端子金具２０の後端部に形成され、符号を付さないが電線Ｃの被覆端末をかしめる一対のインシュレーションバレル片と、その被覆端末から剥き出された状態で突出する芯線部分をかしめる一対のワイヤバレル片とからなる。接触ピン４２には、符号を付さないが保護筒が嵌め込まれており、その保護筒には雄型端子金具４０を抜け止めするランス４３が切り起こし形成されている。
【００１７】
扉５０は、コネクタハウジング３０の下側に取り付けられており、この扉５０には、図９に示すように、底板の左右両縁部に側壁５１が立ち上がり形成され、かつ図１０に示すように、前縁部には上記収容口３２を塞ぐ閉鎖壁５２が立ち上がり形成されている。そして、左右両側壁５１がコネクタハウジング３０の左右両側面から突出する支持軸３８に支持されることにより、閉鎖壁５２が収容口３２を塞ぐ位置から下方向へ回動可能となっている。
【００１８】
この扉５０の閉鎖壁５２には、上記雌側コネクタＦの係合片部１６と対応する位置にスリット５２Ａが形成され、かつそのスリット５２Ａの内方には押下片部５３が立設されている。押下片部５３には、スリット５２Ａの下縁部から斜め上方に向けて傾斜するガイド面５３Ａが形成されており、スリット５２Ａ内に係合片部１６が挿入されるとその先端部がガイド面５３Ａに係合し扉５０を押し下げようになっている。つまり、雌側コネクタＦの嵌め込み動作に伴って扉５０が押し下げられて収容口３２が開口するようになっている。この押下片部５３と係合片部１６とによって本発明の扉開放機構が構成される。
また、扉５０の底板は、その後縁部が後方に延出しており、そこに延出片部５４を形成している。一方、コネクタハウジング３０の外側面部には、図９に示すように、その後端部に凹部５５が形成されており、そこにＶ字状に曲げられた板バネ５６が組み付けられている。これにより、扉５０の延出片部５４は板バネ５６の下端部によって下方向へ押圧され、閉鎖壁５２が収容口３２を塞ぐ方向へ付勢される。この板バネ５６が本発明の付勢部材に相当する。
【００１９】
次に、本実施形態の作用について述べる。雌側コネクタＦを雄側コネクタＭに嵌合する前の状態では、扉５０の延出片部５４が板バネ５６によって下方向へ押圧されているから、収容口３２は閉鎖壁５２によって常に閉じられた状態にある（図１参照）。
そして、雌側コネクタＦを雄側コネクタＭに嵌合させるには、まず、雌側コネクタＦの係合片部１６を雄側コネクタＭのスリット５２Ａ内へ差し込む。すると、係合片部１６が押下片部５３のガイド面５３Ａに当接し、扉５０を押し下げる。そして、雌側コネクタＦを嵌合方向へ押し込んで行くと扉５０は徐々に押し下げられ、雌側コネクタＦを収容するための収容口３２が徐々に開口する（図２参照）。
さらに、雌側コネクタＦを嵌合方向へ押し込むと、収容口３２は完全に開口し、コネクタハウジング１０及びロックアーム１５はそれぞれハウジング収容室３１Ａ及びアーム収容室３１Ｂ内へ入り込む。すると、ロックアーム１５は係止突部１５Ａが係止受部３７に当接することにより撓み始める（図３参照）。
コネクタハウジング１０が完全にハウジング収容室３１Ａ内に嵌り込むと、係止突部１５Ａが係止受部３７を乗り越えて両者は係合し、雌側コネクタＦは嵌合状態にロックされる。また、これと同時に、ショート端子６０の枝片部６０Ａがコネクタハウジング１０によって押し下げられて２つの雄型端子金具４０間は非導通状態とされる。さらに、扉５０が板バネ５６の弾発力でもとの状態へと戻り、収容口３２は再び閉鎖壁５２で塞がれる（図４参照）。
【００２０】
上記構成において本実施形態では、以下の効果を奏する。
▲１▼雌側コネクタＦを嵌め込む前の状態では、収容口３２は常に扉５０によって塞がれているため、フード部３１内への塵や異物等の侵入を防止することができ、しかも扉５０は雌側コネクタＦの嵌め込み動作に伴って開かれるから、扉５０に対する開き操作を行う必要がない。
▲２▼雌側コネクタＦは、板バネ５６の付勢力に抗しつつ嵌め込まれて行くから、嵌合途中で嵌め込み動作をやめると、雌側コネクタＦは板バネ５６からの弾発力を受けて元の位置へと戻されることになる。従って、雌側コネクタＦが半嵌合状態となることを防止できる。
▲３▼嵌合状態では、ロックアーム１５はフード部３１によって完全に覆い隠されるから、嵌合状態では扉５０を開けない限り、ロックアーム１５に対し解除操作を行うことができない。従って、嵌合状態に対するロックがより確実なものとなる。
▲４▼雄側コネクタＭに雌側コネクタＦにおける電線Ｃをフード部３１内から引き出すための引出溝３３を設けたから、嵌合状態で電線Ｃが閉鎖壁５２と収容口３２の開口縁部との間に挟まってしまうことがなく、収容口３２を扉５０によって確実に塞ぐことができる。
【００２１】
＜実施形態２＞
次に、本発明を具体化した実施形態２を図１１を参照して説明する。
本実施形態２の特徴はその扉開放機構を上記実施形態１と異なる構成としたところにある。その他の構造、作用、効果については上記実施形態１と概ね同様であるため、説明を簡略的に留め、若しくは省略する。
雄側コネクタ７０はコネクタハウジング７１と扉７２とからなる。
コネクタハウジング７１はフード部７３を有し、その内部にはショート端子７４と雄型端子金具７５の先端部が臨んでいるとともに、雌側コネクタ８０を嵌合状態にロックするための固定係止部７６が形成されている。
扉７２は、上面板部７２Ａの両側縁に沿って垂下縁部７２Ｂを形成するとともに、上面板７２Ａと両垂下縁部７２Ｂの前端縁同士を連結するように閉塞壁７２Ｃを形成してなり、両垂下縁部７２Ｂの後端部において上下方向の開閉変位を可能にコネクタハウジング７１の軸７７に支持されている。扉７２の軸支位置よりも後方のバネ受け部７２Ｓとコネクタハウジング７１の後端のバネ受け部７１Ｓとの間には圧縮コイルバネ（本発明の構成要件である付勢部材）７８が装着され、この圧縮コイルバネ７８により扉７２が閉塞方向に付勢されている。常には、圧縮コイルバネ７８の付勢により上面板部７２Ａがコネクタハウジング７１の上面に重なり合うとともに閉塞壁７２Ｃがフード部７３の収容口７３Ａの上半分領域を閉塞する状態に保持されている。
【００２２】
一方、雌側コネクタ８０は、フード部７３内に嵌合されるコネクタハウジング８１と、このコネクタハウジング８１内に収容した雌型端子金具（図示せず）とを備えて構成されている。コネクタハウジング８１の上面にはその両縁に沿って一対の側壁部８２が形成され、この両側壁部８２の間の空間には後方へ片持ち状に延出するロックアーム８３が形成されている。ロックアーム８３の延出端に近い位置には、フード部７３の固定係止部７６と係合することにより両コネクタ７０，８０を嵌合状態に保持する可動係止部８４が形成されている。また、ロックアーム８３の延出端はロック解除操作部８５となっている。
かかるロックアーム８３を備えたコネクタハウジング８１には、その後端から門形に立ち上がる保護枠８６が形成されている。この保護枠８６はコネクタハウジング８１の上面とロックアーム８３の間に電線（図示せず）が噛み込むのを防止する機能を有する。
【００２３】
本実施形態２の扉開放機構を説明する。
雄側コネクタ７０における扉７２の閉塞壁７２Ｃの下縁は、扉開閉機構を構成する係合部７９とされている。一方、雌側コネクタ８０には、その保護枠８６の左縁からコネクタハウジング８１の上面左端縁に亘って扉開閉機構を構成する係合受け部８７が形成されている。この係合受け部８７は三角形のリブ状をなし、その上面は嵌合方向に対して斜め方向の傾斜面８７Ａとなっている。この傾斜面８７Ａは、コネクタハウジング８１の上面と保護枠８６の上端面とに滑らかに連続している。尚、フード部７３内には、この係合受け部８７を収容するための逃がし部７３Ｂが形成されている。
【００２４】
雄雌両コネクタ７０，８０を嵌合する際には、まず、指または雌側コネクタ８０の先端部を閉塞壁７２Ｃの下縁に引っ掛けることにより圧縮コイルバネ７８の付勢に抗して扉７２を上に押し上げて収容口７３Ａを開放し、かかる状態で雌側コネクタ８０をフード部７３に浅く嵌合させる。この後、扉７２の押し上げを解除すると、圧縮コイルバネ７８の付勢によって閉塞壁７２Ｃの係合部７９がコネクタハウジング８１の上面に当接される。このとき、付勢力によって雌側コネクタ８０には嵌合方向と交差する下向きの力を受けるが、フード部７３と嵌合状態にあるため、両コネクタ７０，８０が上下に相対変位する虞はない。
この状態から雌側コネクタ８０をフード部７３内にさらに押し込むと、係合受け部８７の傾斜面８７Ａが係合部７９に当接し、その係合部７９が傾斜面８７Ａ上を登り方向に摺動し、それに伴って扉７２が圧縮コイルバネ７８の付勢に抗して押し上げられていく（図１１を参照）。そして、係合部７９が傾斜面８７Ａの上端に達して保護枠８６を乗り越えると、圧縮コイルバネ７８の付勢により扉７２が閉塞状態となって収容口７３Ａが閉塞され、その直後に雌側コネクタ８０が正規嵌合状態に至る。
尚、正規嵌合に至る直前には、可動係止部８４が固定係止部７６に乗り上がりつつロックアーム８３が上方へ弾性撓みし、正規嵌合状態に至ると同時に両係止部７６，８４が解離してロックアーム８３が下動し、可動係止部８４が固定係止部７６に対して奥側（図１０の右側）から係止し、もって両コネクタ７０，８０が正規嵌合状態にロックされる。
上述のように本実施形態２では、実施形態１のようにフード部３１内に先行して進入する係合片部１６に相当する手段を雌側コネクタ８０に設けていないので、雌側コネクタ８０の全長が短くなっている。また、係合部７９と係合受け部８７による扉開放動作は雌側コネクタ８０がフード部７３内に浅く嵌合した状態で行われるので、圧縮コイルバネ７８の付勢力によっ扉７２が雌側コネクタ８０を下方へ押圧しても、両コネクタ７０，８０は上下方向に相対変位せず、正しい位置関係を保ちつつ嵌合を進めることができる。
【００２５】
＜実施形態３＞
次に、本発明を具体化した実施形態３を図１２を参照して説明する。
本実施形態３は、扉開閉機構の構成を上記実施形態２と異ならせたものである。この他の構成については実施形態２と同じであるため、同じ構成については、同一符号を付し、構造、作用及び効果の説明は省略する。
雄側コネクタ７０においては、扉７２の閉塞壁７２Ｃの外面に係合受け部８８が形成されている。この係合受け部８８は、側方から視て三角形状をなし、斜め前下方に面するオーバーハング状の傾斜面８８Ａを有している。一方、雌側コネクタ８０においては、保護枠８６の上端縁が係合部８９とされている。係合部８９の高さは、扉７２がコネクタハウジング８１の上面に当接している状態で係合受け部８８の傾斜面８８Ａの上端よりも低くなるように設定されている。尚、フード部７３には、上記実施形態２の逃がし部７３Ｂに相当する手段は設けられていない。
雄雌両コネクタ７０，８０を嵌合する際には、まず、指または雌側コネクタ８０の先端部を閉塞壁７２Ｃの下縁に引っ掛けることにより圧縮コイルバネ７８の付勢に抗して扉７２を上に押し上げて収容口７３Ａを開放し、かかる状態で雌側コネクタ８０をフード部７３に浅く嵌合させる。そして、雌側コネクタ８０をフード部７３内に押し込むと、係合部８９が係合受け部８８の傾斜面８８Ａの上端位置に当接し、その係合部８９が傾斜面８８Ａ上を摺動しつつ圧縮コイルバネ７８の付勢に抗して扉７２を押し上げていく（図１２を参照）。そして、傾斜面８８Ａの下端即ち閉塞壁７２Ｃの下端縁が保護枠８６を乗り越えると、圧縮コイルバネ７８の付勢により扉７２が閉塞状態となって収容口７３Ａが閉塞されるとともに、両コネクタ７０，８０が正規嵌合状態に至る。
上述のように本実施形態３では、雌側コネクタ８０の扉開閉機構である係合部８９がフード部７３に進入しない形態となっているので、フード部７３内に係合部８９の収容スペースが不要となっている。
【００２６】
＜変形例＞
なお、本発明は上記実施形態に限定されるものではなく、例えば次のように変形して実施することができ、これらの実施形態も本発明の技術的範囲に属する。
（１）  上記実施形態では、雄側コネクタＭにはショート端子６０が組み付けられていたが、これを備えないものであってもよい。
（２）  上記実施形態では、扉５０は収容口３２を塞ぐ位置に板バネ５６によって付勢されていたが、板バネ５６を設けずに扉５０とコネクタハウジング３０との間に相互に係合可能なロック部を設けて扉５０を収容口３２を塞ぐ位置にロックしておき、係合片部１６と押下片部５３とが係合したらそのロックが解除されるようにしてもよい。
【００２７】
（３）  上記実施形態では、嵌合状態でロックアーム１５は扉５０によって覆い隠されるように構成されていたが、嵌合状態でロックアームが露出しており、扉５０を開けなくてもロックを解除できるように構成してもよい。
その他、本発明は要旨を逸脱しない範囲内で種々変更して実施することができる。
【図面の簡単な説明】
【図１】  実施形態１の嵌合前状態を示す側断面図である。
【図２】  嵌合途中（扉開口途中）を示す側断面図である。
【図３】  嵌合途中（ロックアーム撓み途中）を示す側断面図である。
【図４】  嵌合状態を示す側断面図である。
【図５】  雌側コネクタの平面図である。
【図６】  雌側コネクタの側面図である。
【図７】雌側コネクタの正面図である。
【図８】雄側コネクタの平面図である。
【図９】雄側コネクタの側面図である。
【図１０】雄側コネクタの正面図である。
【図１１】実施形態２の嵌合過程をあらわす側断面図
【図１２】実施形態３の嵌合過程をあらわす側断面図
【符号の説明】
１５…ロックアーム（ロック機構）
１６…係合片部（係合部）
３１…フード部
３２…収容口
３７…係止受部（ロック機構）
５０…扉
５３…押下片部（係合受部）
５６…板バネ（付勢部材）
Ｍ…雄側コネクタ
Ｆ…雌側コネクタ
７０…雄側コネクタ
７２…扉
７３…フード部
７３Ａ…収容口
７６…固定係止部（ロック機構）
７８…圧縮コイルバネ（付勢部材）
７９、８９…係合部
８０…雌側コネクタ
８３…ロックアーム（ロック機構）
８７、８８…係合受け部
【図１】
0003674280.tif 000002
【図２】
0003674280.tif 000003
【図３】
0003674280.tif 000004
【図４】
0003674280.tif 000005
【図５】
0003674280.tif 000006
【図６】
0003674280.tif 000007
【図７】
0003674280.tif 000008
【図８】
0003674280.tif 000009
【図９】
0003674280.tif 000010
【図１０】
0003674280.tif 000011
【図１１】
0003674280.tif 000012
【図１２】
0003674280.tif 000013